(57)【特許請求の範囲】
【請求項１】
ページ中に含まれる広告に対するユーザからの指示に基づいて前記広告のリンク先であるリンクページへジャンプした場合、前記広告を指示したユーザをユニークに特定する接続情報と、前記ジャンプしたリンクページをユニークに特定する広告情報とによりユニークに定まる識別情報をユーザ端末より受信する送受信手段と、
ユーザに関するユーザ情報を格納するユーザ情報格納手段と、
広告情報を格納する広告情報格納手段と、
前記送受信手段により受信された識別情報に基づいて、前記ユーザ情報格納手段に格納され、前記識別情報と関連付けられた広告情報を検索するユーザ情報検索手段と、
前記ユーザ情報検索手段により検索された広告情報に基づいて、前記広告情報格納手段に格納されている広告情報を検索する広告情報検索手段と、
前記広告情報検索手段により検索された広告情報が、販売価格の割引きまたはサービスポイントの加算を含むサービス情報と関連付けられているか否かを判定する判定手段とを備え、
前記送受信手段は、前記判定手段により関連付けられていると判定した前記サービス情報を販売端末へ送信し、前記サービス情報に基づいて実施された販売情報を前記販売端末より受信することを特徴とする広告情報管理装置。
【請求項２】
前記販売端末は、
取引の対象品目にもとづく取引処理を行う取引処理手段と、
入力された広告情報が前記取引処理の品目と一致した場合に、ユーザ識別情報、広告情報を前記広告情報管理装置へ送信する送信手段と、
を具備し、前記取引処理手段は前記送信手段の送信に応答して前記広告情報管理装置より受信したサービス情報に応じた販売価格の処理を実行することを特徴とする請求項１に記載の広告情報管理装置。
【請求項３】
コンピュータを、
ページ中に含まれる広告に対するユーザからの指示に基づいて前記広告のリンク先であるリンクページへジャンプした場合、前記広告を指示したユーザをユニークに特定する接続情報と、前記ジャンプしたリンクページをユニークに特定する広告情報とによりユニークに定まる識別情報をユーザ端末より受信する送受信手段、
ユーザに関するユーザ情報を格納するユーザ情報格納手段、
広告情報を格納する広告情報格納手段、
前記送受信手段により受信された識別情報に基づいて、前記ユーザ情報格納手段に格納され、前記識別情報と関連付けられた広告情報を検索するユーザ情報検索手段、
前記ユーザ情報検索手段により検索された広告情報に基づいて、前記広告情報格納手段に格納されている広告情報を検索する広告情報検索手段、
前記広告情報検索手段により検索された広告情報が、販売価格の割引きまたはサービスポイントの加算を含むサービス情報と関連付けられているか否かを判定する判定手段、
として機能させるためのプログラムであって、更に、前記送受信手段は、前記判定手段により関連付けられていると判定した前記サービス情報を販売端末へ送信し、前記サービス情報に基づいて実施された販売情報を前記販売端末より受信する手段として機能させるためのプログラムを記録したコンピュータ読み取り可能な記録媒体。
【発明の詳細な説明】
【０００１】
【発明の属する技術分野】
本発明は、インターネットやパソコン通信等のネットワークを利用した電子商取引における広告情報の管理を行なう広告情報管理装置および広告情報管理方法に関する。
【０００２】
【従来の技術】
従来の広告情報管理装置は、インターネットに代表されるネットワークを利用して、製造業やサービス業等の企業が個人や官公庁や企業等のユーザに対して、自社の製品やサービス内容等の広告を行っていた。
【０００３】
上記広告情報管理装置が行なう最も典型的な広告表示の形態の１つに、一般にバナー広告と呼ばれているものがある。バナー広告とは、ホームページの画面の一部にホームページの所有者（開設者）によって広告表示用の領域（多くは長方形）が予め用意され、その領域に広告主から請け負った見出し的広告情報を表示しているものである。その領域には、他のページへのリンク機能が組み込まれており、当該見出し的広告情報を見たホームページの閲覧者は、その領域を指示（例えば、ダブルクリック）することにより、その見出し的広告情報に関してのより詳細な広告情報が記載されたページにジャンプすることができる。なお、ホームページの所有者と広告主とが同一人であることもある。
【０００４】
【発明が解決しようとする課題】
しかしながら、従来の広告情報管理装置は、上記バナー広告を表示しているホームページやそのジャンプ先のページのアクセス数を把握することはできても、その広告情報を見た閲覧者のうち何人が実際にその商品を購入したのかは不明であるという問題がある。
【０００５】
本発明は、上記のような課題を解決するためになされたものであって、インターネットやパソコン通信等のネットワークを利用した電子商取引において、実際に商品等の購入をしたユーザがネットワーク上の何処の広告を見たのかを把握することにより、広告主にとってより有効的に広告を掲載することが可能な広告情報管理装置および広告情報管理方法を提供することを目的とする。
【０００６】
【課題を解決するための手段】
本発明の広告情報管理装置は、ページ中に含まれる広告に対するユーザからの指示に基づいて前記広告のリンク先であるリンクページへジャンプした場合、前記広告を指示したユーザをユニークに特定する接続情報と、前記ジャンプしたリンクページをユニークに特定する広告情報とによりユニークに定まる識別情報をユーザ端末より受信する送受信手段と、ユーザに関するユーザ情報を格納するユーザ情報格納手段と、広告情報を格納する広告情報格納手段と、前記送受信手段により受信された識別情報に基づいて、前記ユーザ情報格納手段に格納され、前記識別情報と関連付けられた広告情報を検索するユーザ情報検索手段と、前記ユーザ情報検索手段により検索された広告情報に基づいて、前記広告情報格納手段に格納されている広告情報を検索する広告情報検索手段と、前記広告情報検索手段により検索された広告情報が、販売価格の割引きまたはサービスポイントの加算を含むサービス情報と関連付けられているか否かを判定する判定手段とを備え、前記送受信手段は、前記判定手段により関連付けられていると判定した前記サービス情報を販売端末へ送信し、前記サービス情報に基づいて実施された販売情報を前記販売端末より受信することを特徴とする。
【０００７】
また、好適には、本発明の広告情報管理装置は、広告情報の広告主に対する広告料金を含む料金情報を格納した料金情報格納手段と、前記送受信手段により受信した販売情報に基づいて、前記受信した広告情報の広告主に対する広告料金を算出し、前記料金情報格納手段に格納する料金情報管理手段とを備えることが望ましい。
【０００８】
また、本発明の一態様によれば、本発明の広告情報管理方法は、ページ中に含まれる広告に対するユーザからの指示に基づいて前記広告のリンク先であるリンクページへジャンプした場合、前記広告を指示したユーザをユニークに特定する接続情報と、前記ジャンプしたリンクページをユニークに特定する広告情報とによりユニークに定まる識別情報を受信し、前記受信された識別情報に基づいて、ユーザに関するユーザ情報を格納するユーザ情報データベースに格納され、前記識別情報と関連付けられた広告情報を検索し、前記検索された広告情報に基づいて、ページがアクセスされ、かつ取引が行なわれた場合に、広告情報を格納する広告情報データベースに格納されている広告情報を検索し、前記検索された広告情報が、販売価格の割引きまたはサービスポイントの加算を含むサービス情報と関連付けられているか否かを判定し、関連付けられていると判定した場合は、前記サービス情報を送信し、前記サービス情報に基づいて実施された販売情報を受信し、前記受信した販売情報に基づいて、前記受信した広告情報の広告主に対する広告料金を算出し、広告情報の広告主に対する広告料金を含む料金情報を格納した料金情報データベースに格納することを特徴とする。
【０００９】
また、本発明の一態様によれば、本発明の広告情報管理方法は、Ｗｅｂサーバにアクセスすることにより、ページを取得して表示し、前記表示されたページ中に含まれる広告を指示することにより、前記広告に組み込まれたアンカーで示されたリンクページを取得して表示し、前記リンクページをユニークに特定する広告情報と前記指示をユニークに特定する接続情報を広告サーバへ送信し、前記広告情報と前記接続情報とによりユニークに定まる識別情報を前記広告サーバから受信することを特徴とする。
【００１０】
また、好適には、本発明の広告情報管理方法は、前記ページの表示、前記リンクページの表示、前記接続情報の送信、および前記識別情報の受信は、前記Ｗｅｂサーバおよび前記広告サーバが接続されたネットワークに接続したユーザ端末が行なうことが望ましい。
【００１１】
また、好適には、本発明の広告情報管理方法は、前記受信した識別情報を前記広告情報とともに前記広告サーバへ送信し、前記広告情報に関連付けられた、販売価格の割引きまたはサービスポイントの加算を含むサービス情報を前記広告サーバから受信し、前記サービス情報に基づいて、販売処理を実施し、前記販売処理の実施に関する販売情報を前記広告サーバへ送信することが望ましい。
【００１２】
また、本発明の一態様によれば、本発明の広告情報管理方法は、ユーザ端末によるページ中に含まれる広告に対する指示に基づいて前記広告からジャンプしたリンク先のリンクページをユニークに特定する広告情報と、前記広告を指示したユーザ端末をユニークに特定する接続情報とを受信し、前記広告情報と前記接続情報とによりユニークに定まる識別情報を取得し、前記識別情報を前記広告情報とともに前記ユーザ端末に送信することが望ましい。
【００１３】
また、好適には、本発明の広告情報管理方法は、前記ユーザ端末に送信した識別情報と広告情報を販売端末から受信し、前記受信した広告情報に関連付けられた、販売価格の割引き、サービスポイントの加算、割引券の提供、金券の提供、景品の提供のうち１つを含むサービス情報を前記販売端末へ送信し、前記送信したサービス情報に基づいて実施された販売情報を前記販売端末から受信し、前記販売情報に基づいて、前記受信した広告情報の広告主に対する広告料金を算出することが望ましい。
【００１４】
また、本発明の一態様によれば、本発明の広告情報管理プログラムのプログラムコードを記録したコンピュータ読み取り可能な記録媒体は、ページ中に含まれる広告に対するユーザからの指示に基づいて前記広告のリンク先であるリンクページへジャンプした場合、前記広告を指示したユーザをユニークに特定する接続情報と、前記ジャンプしたリンクページをユニークに特定する広告情報とによりユニークに定まる識別情報を受信し、前記受信された識別情報に基づいて、ユーザに関するユーザ情報を格納するユーザ情報データベースに格納され、前記識別情報と関連付けられた広告情報を検索し、前記検索された広告情報に基づいて、ページがアクセスされ、かつ取引が行なわれた場合に、広告情報を格納する広告情報データベースに格納されている広告情報を検索し、前記検索された広告情報が、販売価格の割引きまたはサービスポイントの加算を含むサービス情報と関連付けられているか否かを判定し、関連付けられていると判定した場合は、前記サービス情報を送信し、前記サービス情報に基づいて実施された販売情報を受信し、前記受信した販売情報に基づいて、前記受信した広告情報の広告主に対する広告料金を算出し、広告情報の広告主に対する広告料金を含む料金情報を格納した料金情報データベースに格納することを特徴とする。
【００２０】
【発明の実施の形態】
以下、本発明の実施の形態を、図面を参照しながら詳細に説明する。
図１は、本発明の概略を説明するための図である。
【００２１】
図１において、広告情報管理装置１は、インターネット等のネットワーク２を介して一般ユーザが使用するユーザ端末３と、商品等の販売者が使用する販売端末５と、Ｗｅｂサーバ４と、広告サーバ６と接続している。そして、広告情報管理装置１は、販売価格の割引き、サービスポイントの加算、割引券の提供、金券の提供、景品の提供のうち１つを含むサービスの対象である商品または役務の広告に関する広告情報を格納している広告ＤＢ（データベース）７と、ユーザに関するユーザ情報を格納しているユーザＤＢ８と、広告情報の広告主に対する広告料金を含む料金情報を格納している料金ＤＢ９とを備える。
【００２２】
このような構成において、ユーザが、ユーザ端末３を用いてＵＲＬ（Ｕｎｉｆｏｒｍ  Ｒｅｓｏｕｒｃｅ  Ｌｏｃａｔｏｒ）を指定することにより、Ｗｅｂサーバ４がアクセスされ、ＵＲＬで指定されたページがＷｅｂサーバ４から取得されてユーザ端末３上に表示される。そして、ユーザが、上記表示されたページ中に含まれる広告を指示（マウスによるクリック等）することにより、上記広告に組み込まれたアンカーで示されたリンクページが取得されて表示される（ジャンプする）。
【００２３】
この時、広告サーバ６は、ユーザ端末３によるページ中に含まれる広告に対する指示に基づいて上記広告からジャンプしたリンク先のリンクページをユニークに特定する広告情報と、上記広告を指示したユーザ端末３をユニークに特定する接続情報とを受信する。そして、上記広告情報と上記接続情報とによりユニークに定まるユーザ識別情報を、例えば、広告情報と接続情報とユーザ識別情報とが関連付けられたユーザＤＢ８を検索することにより上記ユーザ識別情報を取得し、上記広告情報とともに上記ユーザ端末３に送信する。ユーザ識別情報が広告情報と接続情報とによりユニークに定められることにより、同一のユーザが同一の広告を複数回見た場合でも、販売価格の割引き、サービスポイントの加算、割引券の提供、金券の提供、景品の提供等のサービスは１回だけの提供となる例で説明するが、同一のユーザが同一の広告を見た回数や頻度に応じてサービスを提供しても良い。
【００２４】
上記ユーザ識別情報を受信したユーザ端末３は、上記ユーザ識別情報を、例えばＩＣカードに書き込んだり、パスワードとともに紙媒体等に印字したりすることにより、ユーザが所持できるようにする。
【００２５】
そして、上記ユーザ識別情報が書き込まれたＩＣカードを用いて、あるいは、上記ユーザ識別情報が印字された紙媒体を用いて、ユーザが商品等を購入する時、販売端末５は、ＩＣカードから読み取ったあるいはキーボード等の入力装置から入力された上記ユーザ識別情報を上記広告情報とともに広告サーバ６へ送信する。上記ユーザ識別情報と上記広告情報とを受信した広告サーバ６は、上記広告情報に関連付けられた、販売価格の割引きまたはサービスポイントの加算を含むサービス情報を販売端末５に返信する。
【００２６】
上記サービス情報を上記広告サーバ６から受信した販売端末５は、上記サービス情報に基づいて、販売処理を実施し、上記販売処理の実施に関する販売情報を上記広告サーバ６へ送信する。
【００２７】
上記販売情報を受信した広告サーバ６は、上記販売情報に基づいて、上記受信した広告情報の広告主に対する広告料金を算出し、料金ＤＢ９に格納する。
なお、商品等の購入は、実在の店舗で行なわれた場合でもよく、Ｗｅｂ上の仮想店舗で行なわれた場合でもよい。仮想店舗においても、販売額の算出などの販売処理を実施する際に、ユーザ識別情報を広告情報とともに広告サーバ６へ送信する。これらの情報を受信した広告サーバ６は、上記広告情報に関連付けられた、販売価格の割引きまたはサービスポイントの加算を含むサービス情報を仮想店舗の販売処理を行う販売端末５に返信する。
【００２８】
図２は、本発明の広告情報管理装置の機能ブロック図である。
図２において、広告情報管理装置１００は、広告サーバ１１０と、販売価格の割引き、サービスポイントの加算、割引券の提供、金券の提供、景品の提供のうち１つを含むサービスの対象である商品または役務の広告に関する広告情報を格納する広告情報格納手段１２０と、ユーザに関するユーザ情報を格納するユーザ情報格納手段１３０と、広告情報の広告主に対する広告料金を含む料金情報を格納する料金情報格納手段１４０とを備える。
【００２９】
上記広告サーバ１１０は、送受信手段１１１と、アクセス検知手段１１２と、広告情報検索手段１１３と、ユーザ情報検索手段１１４と、ユーザ情報編集手段１１５と、判定手段１１６と、料金情報管理手段１１７とを備える。
【００３０】
上記送受信手段１１１は、ページ中に含まれる広告に対するユーザからの指示に基づいて上記広告のリンク先であるリンクページへジャンプした場合、上記広告を指示したユーザをユニークに特定する接続情報と、上記ジャンプしたリンクページをユニークに特定する広告情報とを受信する。また、上記ジャンプしたリンクページをユニークに特定する広告情報とによりユニークに定まるユーザ識別情報を受信する。
【００３１】
上記アクセス検知手段１１２は、上記送受信手段１１１により受信した接続情報および広告情報に基づいて、上記指示したユーザおよび上記ジャンプしたリンクページを検知する。
【００３２】
上記広告情報検索手段１１３は、上記アクセス検知手段１１２により検知されたリンクページを特定する広告情報に基づいて、上記広告情報格納手段１２０に格納されている広告情報を検索する。また、上記ユーザ情報検索手段１１４により検索された広告情報に基づいて、上記広告情報格納手段１２０に格納されている広告情報を検索する。
【００３３】
上記ユーザ情報検索手段１１４は、上記アクセス検知手段１１２により検知されたユーザを特定する接続情報と、上記広告情報検索手段１１３により検索された広告情報とに基づいて、上記ユーザ情報格納手段１１４に格納され、上記接続情報と上記広告情報とによりユニークに定まるユーザ識別情報を検索する。また、上記送受信手段１１１により受信されたユーザ識別情報に基づいて、上記ユーザ情報格納手段１３０に格納され、上記ユーザ識別情報と関連付けられた広告情報を検索する。
【００３４】
上記ユーザ情報編集手段１１５は、上記ユーザ情報検索手段１１４によりユーザ識別情報が検索された場合は、上記ユーザ情報格納手段１３０を書換え、上記ユーザ情報検索手段１１４によりユーザ識別情報が検索されなかった場合は、新規のユーザ識別情報を生成して上記ユーザ情報格納手段１３０に書き加える。
【００３５】
上記上記判定手段１１６は、上記広告情報検索手段１１３により検索された広告情報が、販売価格の割引きまたはサービスポイントの加算を含むサービス情報と関連付けられているか否かを判定する。
【００３６】
上記料金情報管理手段１１７は、上記送受信手段１１１により受信した販売情報に基づいて、上記受信した広告情報の広告主に対する広告料金を算出し、上記料金情報格納手段１４０に格納する。
【００３７】
さらに、上記送受信手段１１１は、上記ユーザ情報編集手段１１５により書換えられた、または書き加えられたユーザ識別情報を送信し、上記判定手段１１６により関連付けられていると判定した上記サービス情報を送信し、上記サービス情報に基づいて実施された販売情報を受信する。
【００３８】
図３は、広告ＤＢのデータ構成図である。
図３において、広告ＤＢ７は、広告情報７１と、商品または役務の品目を格納する品目７２と、販売価格の割引き、サービスポイントの加算、割引券の提供、金券の提供、景品の提供等のサービス内容を格納するサービス情報７３と、広告を掲載するＷｅｂサイトのＵＲＬ等を格納する掲載Ｗｅｂサイト７４と、広告を掲載している期間を格納する掲載期間７５と、広告掲載の依頼主の名称等を格納する広告主７６と、広告掲載のための料金を格納する広告料金７７と、上記サービス情報７３に格納されているサービス内容が有効な期間を格納するサービス有効期間７８と、ユーザＤＢリンク先７９とを備えている。
【００３９】
図４は、ユーザＤＢのデータ構成図である。
図４において、ユーザＤＢ８は、接続情報と広告情報とによりユニークに定まるユーザ識別情報８１と、広告情報８２と、商品または役務の品目名を格納する品目８３と、広告を指示したユーザをユニークに特定する接続情報８４と、広告を指定（クリック等）することによりそのリンク先であるリンクページがアクセスされた日時を格納する閲覧日時８５と、広告の商品等が実際に購入された日時を格納する購入日時８６とを備えている。
【００４０】
図５乃至図７は、広告閲覧処理を実行するユーザ端末３，Ｗｅｂサーバ４，広告サーバ６のフローチャートである。
図５中のステップＳ１において、ユーザは、ユーザ端末３から閲覧したいＷｅｂページのＵＲＬを入力することにより、Ｗｅｂサーバ４に対してそのＷｅｂページの閲覧を要求する。
【００４１】
ステップＳ２において、Ｗｅｂページの閲覧を要求されたＷｅｂサーバ４は、そのＷｅｂページをステップＳ１でＷｅｂページの閲覧を要求してきたユーザ端末３に送信する。
【００４２】
Ｗｅｂサーバ４から送信されたきたＷｅｂページを受信したユーザ端末３が、そのＷｅｂページをユーザ端末３上に表示し、そのＷｅｂページ上に広告が組み込まれている場合、ステップＳ３において、そのＷｅｂページを閲覧したユーザは、そのＷｅｂページ内に表示されている広告をクリックする。
【００４３】
広告がクリックされると、その広告に埋め込まれているアンカーで示されたリンクページを取得する処理（ジャンプ）と並行して、ステップＳ４において、Ｗｅｂサーバ４は、そのクリックされた広告に関する広告情報を広告サーバ６に対して問い合わせる。
【００４４】
ステップＳ５において、Ｗｅｂサーバ４から問合せを受けた広告サーバ６は、広告ＤＢ７を検索し、広告ＤＢ７内にその広告情報を格納しているか否かを調べる。
【００４５】
ステップＳ５でその広告情報を検索できない場合（ステップＳ５：ＮＯ）、広告サーバ６は、広告情報が広告サーバ６に無い旨の回答をＷｅｂサーバ４に返し、ステップＳ６において、Ｗｅｂサーバ４は、その旨をユーザ端末３に転送する。
【００４６】
ステップＳ５でその広告情報を検索できた場合（ステップＳ５：ＹＥＳ）、ステップＳ７において、広告サーバ６は、広告情報が広告サーバ６に有る旨の回答をＷｅｂサーバ４に送信する。
【００４７】
ステップＳ８において、広告情報が広告サーバ６に有る旨の回答を受信したＷｅｂサーバ４は、ユーザ端末３に対して、ユーザ端末３をユニークに特定する接続情報（例えば、ＩＰアドレス）の広告サーバ６への転送に対する承認の可否を要求する。
【００４８】
図６に移り、ステップＳ９において、Ｗｅｂサーバ４から接続情報の転送に対する承認の可否を要求されたユーザ端末３は、その要求に対して可否（可か不可か）を入力し、Ｗｅｂサーバ４に返答する。
【００４９】
ステップＳ１０において、ユーザ端末３からの返答が可であるのか不可であるのかを判断する。ステップＳ１０で不可であれば（ステップＳ１０：ＮＯ）、処理を終了し、ステップＳ１０で可であれば（ステップＳ１０：ＹＥＳ）、ステップＳ１１において、上記広告を指示したユーザ端末３をユニークに特定する接続情報と、上記ジャンプしたリンクページをユニークに特定する広告情報とを広告サーバ６へ送信する。
【００５０】
上記接続情報と広告情報を受信した広告サーバ６は、ステップＳ１２において、上記広告情報に基づいて広告ＤＢ７を検索（サーチ）し、ステップＳ１３において、上記接続情報に基づいてユーザＤＢリンク先のユーザＤＢ８を検索（サーチ）する。そして、ステップＳ１４において、ステップＳ１２およびステップＳ１３での検索の結果、ユーザＤＢ８に、同一の広告情報および接続情報のユーザ端末３が存在しているか否かを判断する。
【００５１】
図７に移り、ステップＳ１５において、ステップＳ１４で同一の広告情報および接続情報のユーザ端末３が存在していると判断された場合（ステップＳ１４：ＹＥＳ）は、そのユーザＤＢ８内の閲覧日の項目を更新する。
【００５２】
ステップＳ１４で同一の広告情報および接続情報のユーザ端末３が存在していないと判断された場合（ステップＳ１４：ＮＯ）は、ステップＳ１６において、ユーザＤＢ８に新規のユーザとしてのレコードを追加し、ステップＳ１７において、ユーザ識別情報を含むそのユーザ端末３に関する各項目の情報を生成する。
【００５３】
そして、ステップＳ１８において、広告サーバ６は、サービス情報、ユーザ識別情報、広告情報、品目等をＷｅｂサーバ４に送信する。
ステップＳ１９において、Ｗｅｂサーバ４は、上記受信したサービス情報等をユーザ端末３に転送する。
【００５４】
上記サービス情報等を受信したユーザ端末３は、ＩＣカード駆動装置を備えていれば、ステップＳ２０において、上記サービス情報等をＩＣカードに書き込み、また、ステップＳ２１において、表示し、また、ステップＳ２２において、印字する。
【００５５】
図８および図９は、販売処理を実行する販売端末５，広告サーバ６のフローチャートである。
図８中のステップＳ３１において、販売端末５は、一般的な取引処理を含む取引処理を開始し、ステップＳ３２において、ユーザ識別情報、広告情報および品目等を、ＩＣカードから読み取ることにより、入力する。上記ユーザ識別情報、広告情報および品目等の入力は、紙媒体に印字されているものをパスワードの入力とともにキーボード等から行なってもよい。
【００５６】
そして、ステップＳ３３において、ステップＳ３１で開始した取引処理の対象である商品（または役務）の品目と、ステップＳ３２で入力された品目とが同一であるか否かを判断する。
【００５７】
ステップＳ３３で同一でないと判断された場合（ステップＳ３３：ＮＯ）は、一般的な取引処理を完了させてから終了し、同一であると判断された場合（ステップＳ３３：ＹＥＳ）は、ステップＳ３４において、そのユーザ識別情報、広告情報および品目等を広告サーバ６に送信する。
【００５８】
販売端末５からユーザ識別情報、広告情報および品目等を受信した広告サーバ６は、ステップＳ３５において、ユーザ識別情報に基づいてユーザＤＢ８を検索（サー日）し、ステップＳ３６において、受信したユーザ識別情報がユーザＤＢ８内に有るか否かを判断し、有る場合（ステップＳ３６：ＹＥＳ）は、ステップＳ３７において、受信した広告情報とユーザＤＢ８内の広告情報とが一致しているか否かを判断し、一致している場合（ステップＳ３７：ＹＥＳ）は、ステップＳ３８において、その広告情報に基づいて広告ＤＢ７を検索（サーチ）し、サービス有効期間を読み出す。
【００５９】
図９に移り、広告サーバ６は、ステップＳ３９において、現在がその広告のサービス有効期間内か否かを判断し、サービス有効期間内であれば（ステップＳ３９：ＹＥＳ）、ステップＳ４０において、広告ＤＢ７よりサービス情報を読み出す。
【００６０】
そして、ステップＳ４１において、全ての品目を検索（サーチ）したかを判断し、検索していない品目があれば（ステップＳ４１：ＮＯ）、図８中のステップＳ３５に戻り、検索していない品目がなければ（ステップＳ４１：ＹＥＳ）、ステップＳ４２において、品目毎に、読み出されたサービス情報をユーザ識別情報に付与して販売端末５に送信する。
【００６１】
サービス情報を受信した販売端末５は、ステップＳ４３において、そのサービス情報に基づいて、販売価格の割引き、サービスポイントの加算、割引券の提供、金券の提供、景品の提供等のサービス処理を行なう。
【００６２】
図１０は、課金処理を実行する広告サーバ６のフローチャートである。
広告サーバ６は、ステップＳ５１において、広告ＤＢ７を検索することにより広告情報を読み出し、ステップＳ５２において、広告ＤＢ７を検索することにより広告情報の大きさ、掲載期間に応じた最高広告料金（ＭＡＸ料金）、掲載期間に応じた最低広告料金（ＭＩＮ料金）を読み出す。
【００６３】
ステップＳ５３において、ユーザＤＢ８を検索することにより閲覧者数（ｘ）を求め、ステップＳ５４において、ユーザＤＢ８を検索することにより購入者数（ｙ）を求める。
【００６４】
そして、広告サーバ６は、ステップＳ５５において、請求額ＡＭＴ＝ＭＩＮ料金＋ａ×ｘ＋ｂ×ｙ（ａ、ｂは係数）を求め、ステップＳ５６において、ステップＳ５５で求めた請求額ＡＭＴがＭＡＸ料金より大きいか否かを判断する。
【００６５】
請求額ＡＭＴがＭＡＸ料金より大きい場合（ステップＳ５６：ＹＥＳ）は、ステップＳ５７において、ＭＡＸ料金を請求額ＡＭＴとする。
これらステップＳ５５乃至Ｓ５７の計算は、広告主に対する広告料金の請求額を、ＭＩＮ料金からＭＡＸ料金の間において、閲覧者数と購入者数の数量により変動させることを意味する。
【００６６】
そして、ステップＳ５８において、求めた請求額ＡＭＴを対応する広告主の料金ＤＢ９へ累計として格納する。
ステップＳ５９において、全ての広告情報が終了したか否かを判断し、終了していない場合（ステップＳ５９：ＮＯ）は、ステップＳ５１に戻り、終了している場合（ステップＳ５９：ＹＥＳ）は、ステップＳ６０において、広告主に対する請求書を作成し、ステップＳ６１において、その請求書を広告主に送信する。
【００６７】
図１１は、ユーザ端末／販売端末のハードウェア構成図である。
図１１において、ユーザ端末／販売端末は、それぞれ、バスに接続された、中央処理装置（ＣＰＵ）と、ＲＯＭやＲＡＭ等のメモリと、キーボードやマウス等の入力装置と、ＣＲＴディスプレイ等の表示装置と、プリンター等の印刷装置と、データの送受信を制御する伝送制御装置と、ＩＣカードに対してデータの読み書きを行なうＩＣカード駆動装置と、フロッピーディスクやハードディスク等の記録媒体に対してデータの読み書きを行なう媒体駆動装置とを備える。
【００６８】
図１２は、Ｗｅｂサーバ／広告サーバのハードウェア構成図である。
図１２において、Ｗｅｂサーバ／広告サーバは、それぞれ、バスに接続された、中央処理装置（ＣＰＵ）と、ＲＯＭやＲＡＭ等のメモリと、キーボードやマウス等の入力装置と、ＣＲＴディスプレイ等の表示装置と、プリンター等の印刷装置と、データの送受信を制御する伝送制御装置と、フロッピーディスクやハードディスク等の記録媒体に対してデータの読み書きを行なう媒体駆動装置とを備える。
【００６９】
上述のように、本発明の実施の形態を、図面を参照しながら説明してきたが、本発明が適用される広告情報管理装置は、その機能が実行されるのであれば、上述の実施の形態に限定されることなく、単体の装置であっても、複数の装置からなるシステムあるいは統合装置であっても、ＬＡＮ、ＷＡＮ等のネットワークを介して処理が行なわれるシステムであってもよいことは言うまでもない。
【００７０】
また、バスに接続されたＣＰＵ、ＲＯＭやＲＡＭのメモリ、入力装置、出力装置、外部記録装置、媒体駆動装置、可搬記録媒体、ネットワーク接続装置で構成されるシステムでも実現できる。すなわち、前述してきた実施の形態のシステムを実現するフローチャートで示すソフトウェアは、プログラムコードの形態で記録したＲＯＭやＲＡＭのメモリ、外部記録装置、可搬記録媒体を、入金処理装置に供給し、その入金処理装置のコンピュータがプログラムコードを読み出し実行することによっても、達成されることは言うまでもない。
【００７１】
この場合、記録媒体から読み出されたプログラムコード自体が本発明の新規な機能を実現することになり、そのプログラムコードを記録した可搬記録媒体等は本発明を構成することになる。
【００７２】
プログラムコードを供給するための可搬記録媒体としては、例えば、フロッピーディスク、ハードディスク、光ディスク、光磁気ディスク、ＣＤ−ＲＯＭ、ＣＤ−Ｒ、ＤＶＤ−ＲＯＭ、ＤＶＤ−ＲＡＭ、磁気テープ、不揮発性のメモリーカード、ＲＯＭカード、電子メールやパソコン通信等のネットワーク接続装置（言い換えれば、通信回線）を介して記録した種々の記録媒体などを用いることができる。
【００７３】
また、コンピュータがメモリ上に読み出したプログラムコードを実行することによって、前述した実施の形態の機能が実現される他、そのプログラムコードの指示に基づいて、コンピュータ上で稼動しているＯＳなどが実際の処理の一部または全部を行ない、その処理によっても前述した実施の形態の機能が実現される。
【００７４】
さらに、可搬型記録媒体から読み出されたプログラムコードが、コンピュータに挿入された機能拡張ボードやコンピュータに接続された機能拡張ユニットに備わるメモリーに書き込まれた後、そのプログラムコードの指示に基づいて、その機能拡張ボードや機能拡張ユニットに備わるＣＰＵなどが実際の処理の一部または全部を行ない、その処理によっても前述した実施の形態の機能が実現され得る。
【００７５】
すなわち、本発明は、以上に述べた実施の形態に限定されるものではなく、本発明の要旨を逸脱しない範囲内で種々の構成または形状を取ることが出来る。
【００７６】
【発明の効果】
以上説明してきたように、本発明によれば、インターネットやパソコン通信等のネットワークを利用した電子商取引において、実際に商品等の購入をしたユーザがネットワーク上の何処の広告を見たのかを把握することにより、広告主にとってより有効的に広告を掲載することができる。
【００７７】
また、本発明によれば、インターネット等のネットワーク上の広告を見たユーザ（ユーザ端末）のＩＰアドレスを含むユーザ識別情報を広告情報管理装置が備えるデータベースに蓄積し、ユーザが商品の購入をした場合に、上記ユーザ識別情報を照合することにより、実際の購買に結びついた広告を特定することができ、広告を見て購入をしたユーザに対しては、販売価格の割引き、サービスポイントの加算、割引券の提供、金券の提供、景品の提供等のサービスを行なうことができる。さらに、何時何処で見た広告であるのかが明らかになり、広告媒体や広告時期を分析することにより、広告の手法、広告費用のかけ方などについて改善していくことが可能となる。
【図面の簡単な説明】
【図１】本発明の概略を説明するための図である。
【図２】本発明の広告情報管理装置の機能ブロック図である。
【図３】広告ＤＢのデータ構成図である。
【図４】ユーザＤＢのデータ構成図である。
【図５】広告閲覧処理を実行するユーザ端末３，Ｗｅｂサーバ４，広告サーバ６のフローチャート（その１）である。
【図６】広告閲覧処理を実行するユーザ端末３，Ｗｅｂサーバ４，広告サーバ６のフローチャート（その２）である。
【図７】広告閲覧処理を実行するユーザ端末３，Ｗｅｂサーバ４，広告サーバ６のフローチャート（その３）である。
【図８】販売処理を実行する販売端末５，広告サーバ６のフローチャート（その１）である。
【図９】販売処理を実行する販売端末５，広告サーバ６のフローチャート（その１）である。
【図１０】課金処理を実行する広告サーバ６のフローチャートである。
【図１１】ユーザ端末／販売端末のハードウェア構成図である。
【図１２】Ｗｅｂサーバ／広告サーバのハードウェア構成図である。
【符号の説明】
１  広告情報管理装置
２  ネットワーク
３  ユーザ端末
４  Ｗｅｂサーバ
５  販売端末
６  広告サーバ
７  広告ＤＢ
８  ユーザＤＢ
９  料金ＤＢ
７１  広告情報
７２  品目
７３  サービス情報
７４  掲載Ｗｅｂサイト
７５  掲載期間
７６  広告主
７７  広告料金
７８  サービス有効期間
７９  ユーザＤＢリンク先
８１  ユーザ識別情報
８２  広告情報
８３  品目
８４  接続情報
８５  閲覧日時
８６  購入日時
１００  広告情報管理装置
１１０  広告サーバ
１１１  送受信手段
１１２  アクセス検知手段
１１３  広告情報検索手段
１１４  ユーザ情報検索手段
１１５  ユーザ情報編集手段
１１６  判定手段
１１７  料金情報管理手段
１２０  広告情報格納手段
１３０  ユーザ情報格納手段
１４０  料金情報格納手段
【図１】
0003931539.tif 000002
【図２】
0003931539.tif 000003
【図３】
0003931539.tif 000004
【図４】
0003931539.tif 000005
【図５】
0003931539.tif 000006
【図６】
0003931539.tif 000007
【図７】
0003931539.tif 000008
【図８】
0003931539.tif 000009
【図９】
0003931539.tif 000010
【図１０】
0003931539.tif 000011
【図１１】
0003931539.tif 000012
【図１２】
0003931539.tif 000013